(57)【要約】      （修正有）【課題】流水による負圧発生で引き起こされる自己サイフォン作用を制御することを可能とし、パイプのトラップ部に装着される通気弁取り付けの省スペース化、装着の容易性確保並びに装着後の排水のパイプからの漏れの危険性を解消せしめるトラップを提供する。【解決手段】排水トラップ２次側パイプ１１ｂの鉛直上方向部に通気弁１を装着したパイプを既存のトラップ２次側パイプと取り替えて、トラップ１次側パイプと容易な施工によって連結させることにより課題を解決するものである。さらに不要なシールドパッキンを使用することがないため設置完了後に振動等のシールド不良によるパイプからの排水漏れを防止することができる。【選択図】図７
2007100489.tif 000002
【特許請求の範囲】
【請求項１】
防臭機能を有する排水トラップ用のパイプであって、排水トラップ２次側パイプの鉛直上方向にパイプ内の負圧発生を解消する通気弁を有する排水器具。
【発明の詳細な説明】
【発明の詳細な説明】
【産業上の利用分野】
【０００１】排水トラップにおける通気管のないループ通気方式あるいは伸頂通気方式による排水系統の場合の通気管は自己サイフォン作用が起こり、トラップ内の補給水が期待できず、封水欠陥を生じ、下水管の汚水の悪臭を排水トラップによる封水により遮断するという防臭効果を妨げることとなる。本発明はかかる場合の自己サイフォン作用を回避しうる排水パイプに関する。
【０００２】  Ｓ字トラップ式排水パイプにおいては図１に示すとおりＳ字トラップ部に溜まった水により封水効果を生じせしめる。そして、その封水効果によりその先の下水管等から生じる臭気を遮断するのである。しかし、図２に示す排水量があった場合は自己サイフォン作用により図３のとおりトラップ部分に浦給水が溜まることができず封水効果が生じない。かかる事態を回避するためには、すなわち、この自己サイフォン作用を起こさせないためには流水によるＳ字トラップ部に生じる負圧を除去する必要がある。
【背景技術】
【０００３】封水保護を達成するためには封水欠陥を引き起こす排水による自己サイフォン作用の発生、すなわち排水パイプ内の負圧を除去すべく、トラップ二次側のパイプに通気弁を装着するものであった。かかる通気弁を実施例として、負圧を除去する公知の弁体（以下「通気弁１」という。）を図４に示す。そして図５に示すとおり通気弁１を有する中間ユニオンをトラップ二次側のパイプを切断し、装着するものである。【０００４】  ここで、実施例としての通気弁１について図４を参照して説明する。通気弁は排水パイプの通水部に直結した孔３と大気から空気を取り入れるための孔４と閉止コマ２を有し、配管接合用の内ネジソケット１５と嵌合することのできる外ネジ部５を有する。排水パイプ内に負圧が発生していない場合には閉止コマ２は重力により閉止し、孔３と孔４とを遮断することになる。そして、排水パイプ内に負圧が生じると、すなわち孔３に負圧が生じるとその圧力により閉止コマ２は鉛直上方向に引き上げられ、大気が排水パイプ内に送り込まれることになる。【０００５】  この作用によって、排水パイプ内の負圧が除去され排水パイプの自己サイフォン作用が起こらなくなる。すなわち、排水パイプのトラップ部に適量の水をため、封水保護が達成される。【０００６】  通気弁１を装着するのに図５に示す通気弁１を有する中間ユニオンについて説明する。これは中間ユニオン本体６と中間ユニオンから枝分かれさせ延長させたパイプ７とその先端に通気弁１と漏水止めのシールドパッキン８とシールドパッキン８を締め付ける袋ナット９からなる。【０００７】これは排水トラップ２次側パイプ１１の適当な部分を切断し、中間ユニオン本体６に差込み排水パイプ１１ａの外周と中間ユニオン本体との隙間にシールドパッキン８を挿入しこれに袋ナット９を締め付けることにより中間ユニオン本体６と排水トラップ２次側パイプ１１との機密性を確保するものである。
【従来技術の欠点】
【０００８】かかる中間ユニオン式においてはシンク下の排水パイプの収納部分に十分なスペースが必要となり、また排水パイプの切断という専門技術を要することとなる。
更に、この中間ユニオンはその構造から切断されたパイプの外周にキズの発生やパイプが変形することにより、中間ユニオンとパイプとの装着が不完全であると、中間ユニオンの装着部から排水パイプを流れる排水が漏れるおそれもある。
加えて、装着後、継時的に振動や中間ユニオンに何かが触れること等によりユニオンナットがゆるみ装着が不完全となり、同様に中間ユニオン本体６と排水トラップ２次側パイプ１１ａとの装着部から排水が漏れることにもなりかねない。
【発明が解決しようとする課題】
【０００９】上述の技術では排水トラップの二次側パイプ１１に図４に示す通気弁１を設置するにはかかる機能を有する図５に示す中間ユニオンが必要となる。これは通気弁１が弁の閉止を地球の重力により機能するものであることから鉛直方向に向ける必要があり、排水の逆流防止のため排水パイプのトラップ部より上部に設置されなければならない。
【００１０】  本発明の目的は通気弁を装着するに際し、設置工法が容易でありいかなる場合にも設置が完全になされ、設置後にも排水の漏水など不具合の発生を防止し、かかる機能を最小限のスペースで達成すべくコンパクト化を目指すものである。
【課題を解決するための手段】
【００１１】通気弁１は排水トラップ２次側パイプ１１のトラップ部より上部に、かつ鉛直方向に位置する必要があるため、図７に示す、排水トラップ２次側パイプ１１ｂの上部に通気弁を装着した排水パイプを図６に示す既存の排水トラップ２次側パイプ１１と交換して取り替えるものである。
【発明実施の態様】
【００１２】  まず、排水トラップ１次側および２次側のパイプの接続について以下図６を参照して説明する。
【００１３】  排水パイプのトラップ部分は分割されており排水トラップ１次側パイプには２次側パイプと連結するための外ネジ部１４を有し、排水トラップ２次側パイプは１次側パイプと連結するためのユニオン部１３および袋ナット１２を有し、袋ナット１２を外ネジ部１４に締め付けることにより接合されることになる。このネジの嵌合は、原則的に統一した規格により定められているためパイプの取替えは容易にすることができる。
【００１４】  次に発明の実施形態を、図７を参照して説明する。なお、排水トラップ１次側のパイプ１０については既存のものをそのまま使用するため排水トラップ２次側パイプ１１ｂについてのみ説明する。
【００１５】  本発明は、図６における排水トラップ２次側パイプ１１と同様に１次側パイプと連結するためのユニオン部１３および袋ナット１２を有し、排水トラップ２次側パイプ１１ｂのトラップカーブの上方部に通気弁１を装着するための内ネジソケット１５を有し、この内ネジソケットには通気弁１がねじ込み装着される。また、この内ネジソケット１５は排水トラップ２次側パイプ１１ｂのトラップカーブの上方部にパイプ内部からソケットに通気できるように孔を明け、ソケットとパイプに隙間がなく漏水のないように溶接等を施す。
【００１６】  なお、本発明は既存のトラップ式排水パイプについて排水トラップ２次側パイプ１１ａを取り替えるということで課題解決を図るものであるが、図８に示す排水トラップの１次側と２次側が連結ではなく一体となって構成されているパイプにおいては一体のＳ字パイプの２次側トラップの鉛直上部に負圧除去弁を有するトラップ式パイプを用いることで後付けによる工法の容易性は満たされないが省スペース化および設置後の排水の排水パイプからの漏れの解消という課題解決には十分な作用効果を有するものである。
【図面の簡単な説明】
【００１７】
【図１】排水器具の排水トラップが封水機能を有することにより排水層からの臭気を遮断し得る状態を示したものである。
【図２】排水器具の流水時の状態を示したものである。
【図３】排水器具の流水後に流水によるサイフォン作用によって排水トラップが水封不能になった状態を示したものである。
【図４】通気弁の断面図を示したものである。
【符号の説明】
１通気弁
２閉止コマ
３排水パイプの通水部に直結した孔
４大気から空気を取り入れるための孔
５内ネジソケットに接合するための外ネジ
【図５】
排水パイプに通気弁を装着するための中間ユニオンを排水器具に装着した状態を示したものである。
６中間ユニオン本体
７中間ユニオンへの負圧除去弁取り付け用パイプ
８シールドパッキン
９締め付け袋ナット
１１ａ排水トラップ２次側パイプ
【図６】
Ｓ字トラップを有する排水パイプを示したものである。
１０排水トラップ１次側パイプ
１１排水トラップ２次側パイプ
１２排水トラップの１次側と２次側のパイプを連結する袋ナット
１３排水トラップの１次側と２次側のパイプを連結するユニオン部
１４排水トラップの１次側と２次側のパイプを連結する外ネジ部
【図７】
排水トラップ２次側のパイプ１１ｂに通気弁１を取り付けた状態を示したものである。
１１ｂ排水トラップ２次側パイプ
１５通気弁１を取り付けるための内ネジソケット
【図８】
排水トラップの１次側と２次側とが一体となっている排水器具での本発明の実施態様を示したものである。
【図１】
2007100489.tif 000003
【図２】
2007100489.tif 000004
【図３】
2007100489.tif 000005
【図４】
2007100489.tif 000006
【図５】
2007100489.tif 000007
【図６】
2007100489.tif 000008
【図７】
2007100489.tif 000009
【図８】
2007100489.tif 000010
【手続補正書】
【提出日】平成17年12月20日(2005.12.20)
【手続補正２】
【補正対象書類名】明細書
【補正対象項目名】全文
【補正方法】変更
【補正の内容】
【発明の詳細な説明】
【発明の詳細な説明】
【産業上の利用分野】
【０００１】排水トラップにおける通気管のないループ通気方式あるいは伸頂通気方式による排水系統の場合の通気管は自己サイフォン作用が起こり、トラップ内の補給水が期待できず、封水欠陥を生じ、下水管の汚水の悪臭を排水トラップによる封水により遮断するという防臭効果を妨げることとなる。本発明はかかる場合の自己サイフォン作用を回避しうる排水パイプに関する。
【０００２】  Ｓ字トラップ式排水パイプにおいては図１に示すとおりＳ字トラップ部に溜まった水により封水効果を生じせしめる。そして、その封水効果によりその先の下水管等から生じる臭気を遮断するのである。しかし、図２に示す排水量があった場合は自己サイフォン作用により図３のとおりトラップ部分に浦給水が溜まることができず封水効果が生じない。かかる事態を回避するためには、すなわち、この自己サイフォン作用を起こさせないためには流水によるＳ字トラップ部に生じる負圧を除去する必要がある。
【背景技術】
【０００３】封水保護を達成するためには封水欠陥を引き起こす排水による自己サイフォン作用の発生、すなわち排水パイプ内の負圧を除去すべく、トラップ二次側のパイプに通気弁を装着するものであった。かかる通気弁を実施例として、負圧を除去する公知の弁体（以下「通気弁１」という。）を図４に示す。そして図５に示すとおり通気弁１を有する中間ユニオンをトラップ二次側のパイプを切断し、装着するものである。【０００４】  ここで、実施例としての通気弁１について図４を参照して説明する。通気弁は排水パイプの通水部に直結した孔３と大気から空気を取り入れるための孔４と閉止コマ２を有し、配管接合用の内ネジソケット１５と嵌合することのできる外ネジ部５を有する。排水パイプ内に負圧が発生していない場合には閉止コマ２は重力により閉止し、孔３と孔４とを遮断することになる。そして、排水パイプ内に負圧が生じると、すなわち孔３に負圧が生じるとその圧力により閉止コマ２は鉛直上方向に引き上げられ、大気が排水パイプ内に送り込まれることになる。【０００５】  この作用によって、排水パイプ内の負圧が除去され排水パイプの自己サイフォン作用が起こらなくなる。すなわち、排水パイプのトラップ部に適量の水をため、封水保護が達成される。【０００６】  通気弁１を装着するのに図５に示す通気弁１を有する中間ユニオンについて説明する。これは中間ユニオン本体６と中間ユニオンから枝分かれさせ延長させたパイプ７とその先端に通気弁１と漏水止めのシールドパッキン８とシールドパッキン８を締め付ける袋ナット９からなる。【０００７】これは排水トラップ２次側パイプ１１の適当な部分を切断し、中間ユニオン本体６に差込み排水パイプ１１ａの外周と中間ユニオン本体との隙間にシールドパッキン８を挿入しこれに袋ナット９を締め付けることにより中間ユニオン本体６と排水トラップ２次側パイプ１１との機密性を確保するものである。
【従来技術の欠点】
【０００８】かかる中間ユニオン式においてはシンク下の排水パイプの収納部分に十分なスペースが必要となり、また排水パイプの切断という専門技術を要することとなる。
更に、この中間ユニオンはその構造から切断されたパイプの外周にキズの発生やパイプが変形することにより、中間ユニオンとパイプとの装着が不完全であると、中間ユニオンの装着部から排水パイプを流れる排水が漏れるおそれもある。
加えて、装着後、継時的に振動や中間ユニオンに何かが触れること等によりユニオンナットがゆるみ装着が不完全となり、同様に中間ユニオン本体６と排水トラップ２次側パイプ１１ａとの装着部から排水が漏れることにもなりかねない。
【発明が解決しようとする課題】
【０００９】上述の技術では排水トラップの二次側パイプ１１に図４に示す通気弁１を設置するにはかかる機能を有する図５に示す中間ユニオンが必要となる。これは通気弁１が弁の閉止を地球の重力により機能するものであることから鉛直方向に向ける必要があり、排水の逆流防止のため排水パイプのトラップ部より上部に設置されなければならない。
【００１０】  本発明の目的は通気弁を装着するに際し、設置工法が容易でありいかなる場合にち設置が完全になされ、設置後にも排水の漏水など不具合の発生を防止し、かかる機能を最小限のスペースで達成すべくコンパクト化を目指すものである。
【課題を解決するための手段】
【００１１】通気弁１は排水トラップ２次側パイプ１１のトラップ部より上部に、かつ鉛直方向に位置する必要があるため、図７に示す、排水トラップ２次側パイプ１１ｂの上部に通気弁１を装着した排水パイプを図６に示す既存の排水トラップ２次側パイプ１１と交換して取り替えるものである。
【発明実施の態様】
【００１２】  まず、排水トラップ１次側および２次側のパイプの接続について以下図６を参照して説明する。
【００１３】  排水パイプのトラップ部分は分割されており排水トラップ１次側パイプには２次側パイプと連結するための外ネジ部１４を有し、排水トラップ２次側パイプは１次側パイプと連結するためのユニオン部１３および袋ナット１２を有し、袋ナット１２を外ネジ部１４に締め付けることにより接合されることになる。このネジの嵌合は、原則的に統一した規格により定められているためパイプの取替えは容易にすることができる。
【００１４】  次に発明の実施形態を、図７を参照して説明する。なお、排水トラップ１次側のパイプ１０については既存のものをそのまま使用するため排水トラップ２次側パイプ１１ｂについてのみ説明する。
【００１５】  本発明は、図６における排水トラップ２次側パイプ１１と同様に１次側パイプと連結するためのユニオン部１３および袋ナット１２を有し、排水トラップ２次側パイプ１１ｂのトラップカーブの上方部に通気弁１を装着するための内ネジソケット１５を有し、この内ネジソケットには通気弁１がねじ込み装着される。また、この内ネジソケット１５は排水トラップ２次側パイプ１１ｂのトラップカーブの上方部にパイプ内部からソケットに通気できるように孔を明け、ソケットとパイプに隙間がなく漏水のないように溶接等を施す。
【００１６】  なお、本発明は既存のトラップ式排水パイプについて排水トラップ２次側パイプ１１ａを取り替えるということで課題解決を図るものであるが、図８に示す排水トラップの１次側と２次側が連結ではなく一体となって構成されているパイプにおいては一体のＳ字パイプの２次側トラップの鉛直上部に負圧除去弁を有するトランプ式パイプを用いることで後付けによる工法の容易性は満たされないが省スペース化および設置後の排水の排水パイプからの漏れの解消という課題解決には十分な作用効果を有するものである。
【図面の簡単な説明】
【００１７】
【図１】排水器具の排水トラップが封水機能を有することにより排水層からの臭気を遮断し得る状態を示したものである。
【図２】排水器具の流水時の状態を示したものである。
【図３】排水器具の流水後に流水によるサイフォン作用によって排水トラップが水封不能になった状態を示したものである。
【図４】通気弁の断面図を示したものである。
【図５】排水パイプに通気弁を装着するための中間ユニオンを排水器具に装着した状態を示したものである。
【図６】Ｓ字トラップを有する排水パイプを示したものである。
【図７】排水トラップ２次側のパイプ１１ｂに通気弁１を取り付けた状態を示したものである。
【図８】排水トラップの１次側と２次側とが一体となっている排水器具での本発明の実施態様を示したものである。
【符号の説明】
【００１８】  １  通気弁
２  閉止コマ
３  排水パイプの通水部に直結した孔
４  大気から空気を取り入れるための孔
５  内ネジソケットに接合するための外ネジ
６  中間ユニオン本体
７  中間ユニオンへの負圧除去弁取り付け用パイプ
８  シールドパッキン
９  締め付け袋ナント
１０  排水トラップ１次側パイプ
１１  排水トラップ２次側パイプ
１１ａ  排水トラップ２次側パイプ
１１ｂ  排水トラップ２次側パイプ
１２  排水トラップの１次側と２次側のパイプを連結する袋ナット
１３  排水トラップの１次側と２次側のパイプを連結するユニオン部
１４  排水トラップの１次側と２次側のパイプを連結する外ネジ部
１５  通気弁１を取り付けるための内ネジソケット